(57)【要約】【課題】  ブラシ部の長さ調整機能を有した、ブラシ部交換式の非使い捨て型携帯用歯ブラシの提供。【解決手段】  交換式のブラシ部１が把持体６内を摺動して、長さ調整をする機能を有した歯ブラシ本体７に、外装ケース４とキャップ５を装着させて製品を構成し、工具を使用する事なく結合と分離が簡単容易に行える構造を形成する。【選択図】  図１
2005028083.tif 000002
【特許請求の範囲】
【請求項１】
ブラシ部を摺動させ、使用時には長く、使用後は短くして収納する、ブラシ部の長さ調整機能を有した、ブラシ交換式の非使い捨て型携帯用歯ブラシの仕組み。
【発明の詳細な説明】
【技術分野】
【０００１】  筒状の外装ケースとキャップで形成された外観を持つ携帯用歯ブラシに於いて、使用時にはあらかじめ設定された所定の位置までブラシ部を引き出し、使用後は短くして収納する、ブラシ部の長さ調整機能を有した、ブラシ交換式の非使い捨て型携帯用歯ブラシの仕組みに関するものである。
【背景技術】
【０００２】  携帯用歯ブラシの長さを使用時と使用後（収納時）の状況に合わせて対応させる従来の方式には、図１０，図１１に示す通り（イ）折り畳み式（ロ）挿脱式（ハ）着脱分離式の三通りがある。（イ）折り畳み式は、コの字状やＵ字状の断面を有した把持部１０の一端にブラシ部軸端９を蝶着し、これを回転軸としてブラシ部８を回転させながら把持部１０へ嵌脱させる方式をもって使用時と使用後（収納時）の状況に対応する方式。（ロ）挿脱式は、把持部１１の開口部１２にブラシ部軸端１４又は植毛したブラシ部頭部１３を挿脱することで、使用時と使用後（収納時）の状況に合わせて対応する方式。（ハ）着脱分離式は、ブラシ部と把持部が繋がって一体となっている一般的な歯ブラシ（図示せず）を、ブラシ部１５と把持部１６とに二分割する発想のもので、この分割されたブラシ部１５と把持部１６の互いの接続部に凸と凹などによる着脱可能な嵌合機構や、ねじなどの方式による着脱機構を施し、携帯用歯ブラシとしての体裁を整えたものである。
【発明の開示】
【発明が解決しようとする課題】
【０００３】  携帯用歯ブラシの形態を、使用時と使用後（収納時）の状況に合わせて対応させる従来の方式（イ），（ロ），（ハ）は、ブラシ部の交換時期がその商品の寿命（廃棄時）であった。又ブラシ部以外の部材が破損した場合も、その時点がその商品の寿命（廃棄時）であった。【０００４】  本発明は携帯用歯ブラシの構成部材を、図４で示す歯ブラシ本体７の機能部材と、図５で示す外装ケース４とキャップ５の外装部材に分ける事で、ブラシ部１には使用時と使用後（収納時）の状況に合わせてブラシ部１の長さを調整する機能を持たせ、又消耗や破損などで部材交換の必要が生じた場合、その部材の交換が容易に行え、使い捨てでなく長く使える携帯用歯ブラシの仕組みをつくる。ちなみに外装部材は機能部材を保護し、収納する役目を負う。
【課題を解決するための手段】
【０００５】  以下、添付図面中の参照符号を用いて説明すると、本発明は植毛されたブラシ部頭部１ａと、抜け止め凸１ｃを有したブラシ部軸端１ｂを持つブラシ部１と、このブラシ部１を挟持する把持部材２と把持部材３からなる把持体６（図３）とで構成された歯ブラシ本体７（図４）の機能部材と、この機能部材である歯ブラシ本体７を収納する外装部材の、外装ケース４及び歯ブラシ本体７のキャップ５（図５）で構成され、交換式のブラシ部１を挟持する把持部材２と把持部材３とで構成された把持体６の形状は、外装ケース４及びキャップ５の形状に合わせて設計されている。
【発明の効果】
【０００６】  本発明の効果は、ブラシ部１や把持体６（図３）の機能部材と外装ケース４やキャップ５の外装部材（図５）とに分離した設計とする事により、（１）消耗するブラシ部１が容易に交換でき、且つ（２）外装部材はブラシ部１の様に定期的な交換の必要は無く、長期間の使用が可能となる。又、最終の廃棄時に於いても工具を使用する事なく簡単に分離でき、（３）各構成部材の分別廃棄も容易となる。
【発明を実施するための最良の形態】
【０００７】  図１で示す実施例では、ブラシ部１を挟持する把持部材２と把持部材３の基本形状は左右対称となっており、把持部材２、把持部材３の結合と分離は、工具を使用する事なく容易にブラシ部１を挟持せしめる構造である。【０００８】  ブラシ部１が、把持部材２と把持部材３で挟持された状態で摺動する仕組みは、把持部材２及び把持部材３の内部に対称に設けられた溝２ａ，溝３ａの中を、把持部材２と把持部材３に挟持されたブラシ部１が摺動し、使用時にはあらかじめ設定された所定の位置までブラシ部１を引き出し、使用後は短くして収納する。図７はブラシ部１の収納状態図である。【０００９】  ブラシ部１が、使用時にあらかじめ設定された所定の位置で固定する機構は、図８で示す様に、ブラシ部１を把持体６から引き出す事で、ブラシ部軸端１ｂに設けられた抜け止め凸１ｃが移動し、把持部材２及び把持部材３の内部に対称に設けられた溝２ａ，溝３ａの中間あたりに設けられた凹２ｂ，凹３ｂに嵌まり込み、ブラシ部１が所定の位置で固定する。又図９で示す様に、ブラシ部１が把持体６に収納された状態で固定するのは、溝２ａ，溝３ａの末端に設けられた凹２ｃ，凹３ｃに、ブラシ部軸端１ｂの抜け止め凸１ｃが嵌り込み固定する。【００１０】  ブラシ部１の交換は以下の手順で行う（図１）。
（１）外装ケース４及びキャップ５を除去する。（２）歯ブラシ本体７の把持体６を把持部材２と把持部材３に分離し、把持部材２，把持部材３に設けられた溝２ａ，溝３ａに挟持されていたブラシ部１を新しいものに交換する。（３）新しいブラシ部１を把持部材２の溝２ａと把持部材３の溝３ａで挟持し、歯ブラシ本体７を構成する。（４）歯ブラシ本体７にブラシ部１の反対側に外装ケース４を装着した後、ブラシ部１側にキャップ５を装着してブラシ部１の交換を完了。（５）把持体６の洗浄や水切りを行う場合やその後の組み立てに於ける手順も、ブラシ部１の交換と同手順で行う。
【図面の簡単な説明】
【００１１】
【図１】  本発明の各部材の構成図である。
【図２】  本発明のブラシ部１の斜視図である。
【図３】  本発明の把持部材２と把持部材３を組み合わせた把持体６の組立状態図である。
【図４】  本発明の把持部材２と把持部材３でブラシ部１を挟持した歯ブラシ本体７の組立状態図である。
【図５】  本発明の外装部材である、外装ケース４とキャップ５の斜視図である。
【図６】  本発明のブラシ部１の摺動状態図である。
【図７】  本発明の歯ブラシ本体７の収納状態図である。
【図８】  本発明の使用時に於ける（ａ）把持部２側と（ｂ）把持部３側を視た中央縦断側面図である。
【図９】  本発明の使用後（収納時）の（ａ）把持部２側と（ｂ）把持部３側を視た中央縦断側面図である。
【図１０】  従来の（イ）折り畳み式（ロ）挿脱式（ハ）着脱分離式携帯用歯ブラシの使用状態図である。
【図１１】  従来の（イ）折り畳み式（ロ）挿脱式（ハ）着脱分離式携帯用歯ブラシの収納状態を示した説明図である。
【符号の説明】
【００１２】１      ブラシ部
１ａ    ブラシ部頭部
１ｂ    ブラシ部軸端
１ｃ    抜け止め凸
２      把持部材
２ａ    把持部材２の内部に設けられた溝
２ｂ    溝２ａの中間あたりに設けられた凹
２ｃ    溝２ａの末端に設けられた凹
３      把持部材
３ａ    把持部材３の内部に設けられた溝
３ｂ    溝３ａの中間あたりに設けられた凹
３ｃ    溝３ａの末端に設けられた凹
４      外装ケース
５      キャップ
６      把持体
７      歯ブラシ本体
８      折り畳み式携帯用歯ブラシのブラシ部
９      折り畳み式携帯用歯ブラシのブラシ部軸端
１０    折り畳み式携帯用歯ブラシの把持部
１１    挿脱式携帯用歯ブラシの把持部
１２    挿脱式携帯用歯ブラシの開口部
１３    挿脱式携帯用歯ブラシのブラシ部頭部
１４    挿脱式携帯用歯ブラシのブラシ部軸端
１５    着脱分離式携帯用歯ブラシのブラシ部
１６    着脱分離式携帯用歯ブラシの把持部
【図１】
2005028083.tif 000003
【図２】
2005028083.tif 000004
【図３】
2005028083.tif 000005
【図４】
2005028083.tif 000006
【図５】
2005028083.tif 000007
【図６】
2005028083.tif 000008
【図７】
2005028083.tif 000009
【図８】
2005028083.tif 000010
【図９】
2005028083.tif 000011
【図１０】
2005028083.tif 000012
【図１１】
2005028083.tif 000013